(57)【要約】      （修正有）【課題】防犯性を低下させることがない紙幣収納装置および自動取引装置を提供する。【解決手段】紙幣５０５の上端を着色するための第１の着色剤を蓄える第１の貯蔵部５１２と、第１の着色剤を紙幣に着色させるための開口部を有する上部着色部材５１３と、紙幣を保持し穴部が設けられた底板５０６と、紙幣を横方向に押圧する押板５０８と、紙幣を押板方向に押し出すガイド部５０９とを備えた集積部と、紙幣の下端を着色するための第２の着色剤を蓄える第２の貯蔵部５０３と、第２の貯蔵部を押圧する駆動部３０３と、紙幣収納装置の異常を検知するセンサと、センサが異常を検知した場合に、押圧する方向とは逆方向に押板を移動させることによって、上部着色部材を紙幣の上端に接触させて第１の着色剤を上部着色部材の開口部から流出させ、駆動部に第２の貯蔵部を押圧させることによって第２の着色剤を穴部から流出させる制御部とを備えた。【選択図】図５
2011145939.tif 000002
【特許請求の範囲】
【請求項１】
複数の紙幣を立位姿勢で収納する紙幣収納装置であって、
前記紙幣の上端を着色するための第１の着色剤を蓄える第１の貯蔵部と、
前記紙幣の上方に設けられ、前記第１の着色剤を前記紙幣に着色させるための開口部を有する上部着色部材と、
前記紙幣を保持し穴部が設けられた底板と、前記紙幣を横方向に押圧する押板と、前記上部着色部材を前記紙幣に接触しない状態で支えると共に前記押板に対向する位置に設けられ前記押板方向に回転するローラを軸として回動することによって前記紙幣を前記押板方向に押し出すガイド部と、を備えた集積部と、
前記紙幣の下端を着色するための第２の着色剤を蓄える第２の貯蔵部と、
前記第２の貯蔵部を押圧する駆動部と、
前記紙幣収納装置の異常を検知するセンサと、
前記センサが異常を検知した場合に、押圧する方向とは逆方向に前記押板を移動させることによって、前記ガイド部が前記ローラを軸として回動して前記紙幣を前記押板方向に押し出すとともに前記上部着色部材を前記紙幣の上端に接触させて前記第１の着色剤を前記上部着色部材の前記開口部から流出させ、前記駆動部に前記第２の貯蔵部を押圧させることによって前記第２の着色剤を前記穴部から流出させる制御部と、
を備えたことを特徴とする紙幣収納装置。
【請求項２】
前記底板の前記穴部は開口可能な蓋部を有し、
前記穴部と符合する位置に設けられ前記第２の貯蔵部を介して前記穴部の方向に尖った針部を備えるとともに前記第２の貯蔵部を保持する保持板をさらに備え、
前記駆動部は、前記保持板を上方に持ち上げて前記針部を前記蓋部に押し当てて前記穴部を開口状態にすることによって、前記第２の貯蔵部に蓄えられた前記第２の着色剤を前記穴部から流出させる、
ことを特徴とする請求項１に記載の紙幣収納装置。
【請求項３】
前記制御部は、前記押板を前記横方向に振動させる弾性部材と前記弾性部材に弾性力を与える弾性駆動部とをさらに備え、
前記制御部は、前記センサが異常を検知した場合に、前記弾性駆動部を動作させて前記弾性部材が振動するような弾性力を与えることによって、前記押板が移動する位置を制御する、
ことを特徴とする請求項１または２に記載の紙幣収納装置。
【請求項４】
前記上部着色部材は、巻き取り可能な部材であって、
前記ガイド部は、前記紙幣に接触せずに巻き取られた状態で前記上部着色部材を支え、
前記制御部が押圧する方向とは逆方向に前記押板を移動させた場合に、前記上部着色部材が集積された前記紙幣の上端の略一面に広げられる、
ことを特徴とする請求項１〜３のいずれか１項に記載の紙幣収納装置。
【請求項５】
前記紙幣収納装置を備えたことを特徴とする請求項１〜４のいずれか１項に記載の自動取引装置。
【発明の詳細な説明】
【技術分野】
【０００１】
本発明は、金融機関等に設置され、利用者の操作に応じて紙幣を入出金する等の取引を行う紙幣収納装置および自動取引装置の防犯技術に関する。
【背景技術】
【０００２】
従来の現金自動取引装置への防犯技術として、例えば、特許文献には以下の技術が開示されている。具体的には、現金自動取引装置に衝撃、熱、歪みを検知した際にインク噴射装置によりインクを紙幣へ噴射させ、犯人による盗難紙幣の使用を未然に防ぐものがある（特許文献１参照）。さらに、別の特許文献においては、破壊行為が検知されるとインクを噴射し、紙幣を押圧して整理保持する押圧板の保持を開放するものがある（特許文献２参照）。さらに、別の特許文献においては、紙幣を立位姿勢で格納する収納庫の紙幣の下面を支える底板の下方に、紙幣への着色を行う着色機構を備えたものが提案されている（特許文献３、特許文献４参照）。
【先行技術文献】
【特許文献】
【０００３】
【特許文献１】特開２０００−３２２６２５号公報
【特許文献２】特開２００６−３３８２１８号公報
【特許文献３】特開２００５−１９００３７号公報
【特許文献４】特開２００９−６４４６５号公報
【発明の概要】
【発明が解決しようとする課題】
【０００４】
近年では、コンビニエンスストア向けや、店舗外等に現金自動取引装置が設置される機会が増えており、その環境に伴い現金自動取引装置自身を、クレーン等の機械を使用して丸ごと奪うような被害が増加している。
【０００５】
上述した特許文献２の開示方法においては、水平姿勢で紙幣を収納する金庫横にインク噴射装置を取り付けているため、紙幣の側面にインクが付着したり、あるいは紙幣を押さえつける押圧板の保持を開放しているので、紙幣の隙間を広げインクが紙幣の一部にのみ付着している。また、特許文献３や特許文献４の開示方法においては、紙幣の下部にインク染み出し装置を設けているため、紙幣の下端部側からのみインクが染み込むようになっている。
【０００６】
すなわち、これらの特許文献に開示された技術では、紙幣の一部や側面にインクを付着させることは可能であるが、その全面にインクを染み込ませることができない。このように、インクの付着面積が狭いと、紙幣にインクが付着したかどうかを見分けることが困難になる為、防犯性が低くなってしまうという問題があった。
【０００７】
本発明は、上述した課題に鑑みてなされたものであって、防犯性を低下させることがない紙幣収納装置および自動取引装置を提供することを目的とする。
【課題を解決するための手段】
【０００８】
上述した目的を達成するために、本発明にかかる紙幣収納装置は、複数の紙幣を立位姿勢で収納する紙幣収納装置であって、前記紙幣の上端を着色するための第１の着色剤を蓄える第１の貯蔵部と、前記紙幣の上方に設けられ、前記第１の着色剤を前記紙幣に着色させるための開口部を有する上部着色部材と、前記紙幣を保持し穴部が設けられた底板と、前記紙幣を横方向に押圧する押板と、前記上部着色部材を前記紙幣に接触しない状態で支えると共に前記押板に対向する位置に設けられ前記押板方向に回転するローラを軸として回動することによって前記紙幣を前記押板方向に押し出すガイド部と、を備えた集積部と、前記紙幣の下端を着色するための第２の着色剤を蓄える第２の貯蔵部と、前記第２の貯蔵部を押圧する駆動部と、前記紙幣収納装置の異常を検知するセンサと、前記センサが異常を検知した場合に、押圧する方向とは逆方向に前記押板を移動させることによって、前記ガイド部が前記ローラを軸として回動して前記紙幣を前記押板方向に押し出すとともに前記上部着色部材を前記紙幣の上端に接触させて前記第１の着色剤を前記上部着色部材の前記開口部から流出させ、前記駆動部に前記第２の貯蔵部を押圧させることによって前記第２の着色剤を前記穴部から流出させる制御部と、を備えたことを特徴とする。
【０００９】
また、本発明は、上記紙幣収納装置を備えた自動取引装置である。
【発明の効果】
【００１０】
本発明によれば、防犯性を低下させることがない紙幣収納装置および自動取引装置を提供することができる。
【図面の簡単な説明】
【００１１】
【図１】本実施形態にかかるＡＴＭの外観図である。
【図２】ＡＴＭの内部ブロックの構成を示す図である。
【図３】図２に示した紙幣入出金機構内の紙幣収納庫の内部にセンサを設置した場合の例を示す図である。
【図４】ＡＴＭの中で、本発明に関わる紙幣入出金機構の物理的な構成を示す内部の側面図である。
【図５】図４に示した紙幣入出金機構に具備された紙幣収納庫の内部構成を示す図である。
【図６】インク染み出し口の構成を示す図である。
【図７】各センサが異常を検知した場合における紙幣収納庫の内部構造を示す図である。
【発明を実施するための形態】
【００１２】
以下に添付図面を参照して、この発明にかかる紙幣収納装置および自動取引装置の実施の形態を詳細に説明する。
【００１３】
図１は、本実施形態にかかる現金自動取引装置（以下、ＡＴＭ：Automated  Teller  Machine）１０００の外観図である。ＡＴＭ１は、金融機関の店舗、店舗外、またはコンビニエンスストア等に設置されるものである。図１に示すように、ＡＴＭ１は、通帳出入口１と、カード出入口２と、紙幣入出金口３と、硬貨入出金口４と、を含んで構成されている。
【００１４】
通帳出入口１は、エンドユーザが通帳を挿入し、あるいは預け入れや払い出し等の取引の結果が印字された通帳を受け取る挿入兼排出口である。通帳出入口１は、ＡＴＭ１の内部に設置されている通帳機構と一体化されており、この通帳機構が、挿入された通帳に貼付されている磁気情報を読み取ったり、あるいは通帳への印字を実行している。
【００１５】
カード出入口２は、エンドユーザが取引において使用する磁気カード（またはＩＣカード）の挿入口兼受け取り口である。カード出入口２は、ＡＴＭ１の内部に設置されているカード読取機構（後述）と一体化されており、このカード読取機構が、磁気カード等のカード情報の読み取り等を行っている。
【００１６】
紙幣入出金口３は、エンドユーザが紙幣を入金するときの受入口であり、かつ紙幣の出金や釣銭返却時の渡し口である。紙幣入出金口３は、ＡＴＭ１の内部に設置されている紙幣入出金機構（以下、単に紙幣取扱い装置ともいう。）と一体化されており、この紙幣入出金機構が、紙幣の搬送や、鑑別、収納などを行っている。
【００１７】
硬貨入出金口４は、エンドユーザが硬貨を入金する時の受入口であり、かつ硬貨出金や釣銭返却時の渡し口である。紙幣入出金口３は、ＡＴＭ１の内部に設置されている硬貨入出金機構（以下、単に硬貨取扱い装置ともいう。）と一体化されており、この硬貨入出金機構が、硬貨の払い出し等の処理を行っている。
【００１８】
顧客操作パネル５は、例えば、タッチパネル式の表示装置であり、取引の指示等を受け付ける取引画面を表示し、エンドユーザから所定の取引に関する情報（例えば、入金金額等）の入力を受け付ける。以下では、顧客操作パネル５のことを、単に顧客操作部とも言う。
【００１９】
図２はＡＴＭ１の内部ブロックの構成を示す図である。図２に示すように、ＡＴＭ１は、制御部２０１と、顧客操作部２０４と、インターフェース（Ｉ／Ｆ）部２０２と、カード読取機構２０５と、通帳機構２０６と、紙幣入出金機構２０７と、硬貨入出金機構２０８と、装置電源２０９と、バックアップ電池２１０と、警報装置２１１と、振動検知センサ２１２と、焼切検知センサ２１３と、扉開検知センサ２１４と、を有している。
【００２０】
制御部２０１は、各ユニット（各部、各機構）を全体的に制御する機能を有し、ＣＰＵ，メモリ等から主に構成されている。
【００２１】
インターフェース（Ｉ／Ｆ）部２０２は、制御部２０１とＰＣ等の上位装置２０３との電気的な接続を行い、両者の通信を媒介する。
【００２２】
顧客操作部２０４は、顧客操作パネル５を内包し、例えば、エンドユーザが液晶表示パネルおよびタッチパネルから入力した種々の取引情報を検出し、検出した取引情報を制御部２０１に送る。取引情報の検出については、例えば、所定のキーを押下することによって行うことが可能である。
【００２３】
カード読取機構２０５は、エンドユーザによってカード出入口２に挿入された磁気カード等のカードを吸入し、磁気ストライプ（メモリ）の情報およびエンボスの画像を取得する。
【００２４】
通帳機構２０６は、エンドユーザによって通帳出入口１に挿入された通帳に取引内容を印字して返却する。
【００２５】
硬貨入出金機構２０８は、エンドユーザによって硬貨入出金口４から入金された硬貨を計数し不図示の収納庫に収納する。また、硬貨入出金機構２０８は、顧客操作部２０４を操作してエンドユーザが指定した出金金額の硬貨、またはエンドユーザが取引した際の釣銭として返却される硬貨を不図示の収納庫から繰り出してエンドユーザに渡す。
【００２６】
紙幣入出金機構２０７は、エンドユーザによって紙幣入出金口３から入金された紙幣を計数、鑑別し、装置内部に具備された収納庫（後述）に収納する。また、紙幣入出金機構２０７は、エンドユーザによって顧客操作部２０４を操作して指定された出金金額に応じた紙幣を不図示の収納庫（後述）より繰り出し、繰り出した紙幣を入出金口３から出金する。後述するが、この紙幣入出金機構（以下、紙幣入出金装置、紙幣取扱い装置とも言う。）が本発明の最も特徴とするユニットであり、紙幣に防盗インクを着色する機構を備えている。
【００２７】
装置電源２０９はＡＣ電源である商用電源２１５からユニット用のＤＣ電源に変換し、変換したＤＣ電源を、ＡＴＭ１内の各ユニットに供給する。
【００２８】
バックアップ電池２１０は、商用電源２１５からＡＣの商用電源が供給されなくなった場合の緊急用電源であり、特に、警報装置２１１に対するバックアップ電源として機能する。
【００２９】
警報装置２１１は、振動検知センサ２１２もしくは焼切検知センサ２１３もしくは扉開検知センサ２１４からの信号を受信することによって異常を検知した場合に、後述する紙幣入出金機構２０７内に具備されている可動板などを稼動させる装置である。ＡＴＭ１の電源を切った後にＡＴＭ１の盗難を試みる場合、上述した商用電源２１５からＡＣ電源が供給されていない電源断の状態であっても、警報装置２１１はバックアップ電地２１０によって電源を供給されているため、ＡＴＭ１を盗難しようとする際に生じる振動や焼切りなどの異常を検知することが可能となっている。なお、通常の鍵を使用して扉を開閉した場合には扉開検知センサ２１４を解除する機構となっている。
【００３０】
ここで、正当な操作処理と不正な操作処理とを説明する。なお、本操作の説明は不正行為を誘発することにもなるので、簡潔に説明する。金融機関の係員や保守員がＡＴＭ１を操作して正当な操作処理を行う、つまり、ＡＴＭ１内部の各ユニットを保守する際には、正当な鍵を使用して装置背面（又は前面）に設けられた扉の鍵を解錠する。この場合、扉開検知センサ２１４が、扉が開いたことを検知し、防盗インクが紙幣に着色してしまうのは好ましくない。
【００３１】
そこで、ＡＴＭ１は、正当な鍵で扉を開放する場合は扉開検知センサの検知機構を抑止する、または解除する機能を備えている。また、地震などのように装置が振動する場合があることから、振動検知センサ２１２は振動を検知したら直ぐに警報するのではなく、一定時間に何回振動を検知したかをカウントするようなタイマ、カウント機構を備えたものが好ましい。
【００３２】
一方、正当な鍵を使用しないで強制的に扉を開くような操作、一定時間に数回以上の装置を揺らすような操作、装置の筐体を焼くような操作などの不正な操作処理では、各センサがその不正操作を検知し、警報装置２１１に伝え、最終的に収納されている紙幣へ防盗インクを着色する。
【００３３】
以上、ＡＴＭ１に対する不正行為を検出する機能として、ＡＴＭ１本体の内部に振動検知センサ２１２、焼切検知センサ２１３、扉開検知センサ２１４を具備する実施形態を説明した。しかし、上述した不正な操作処理が行われる場合、ＡＴＭ１本体の内部にある核ユニットの中でも、特に、紙幣を収納している紙幣入出金機構が不正操作の標的となる場合が多い。そこで、そのような場合に備え、紙幣入出金機構内の紙幣収納庫の内部に、上述したようなセンサを設けることとしてもよい。
【００３４】
図３は、図２に示した紙幣入出金機構２０７内の紙幣収納庫３０１の内部にセンサを設置した場合の例を示す図である。図３に示すように、紙幣収納庫３０１の内部には、焼切検知センサ２１３、扉開検知センサ２１４が設置されている。なお、振動検知センサ２１２が設置されていない理由は、正当な操作処理として、保守員等が、紙幣の補充、回収をするために紙幣収納庫３０１を持ち運ぶことがあり、その際に生じた振動によって、防盗インクが紙幣に着色してしまうのは望ましくないためである。
【００３５】
また、紙幣収納庫３０１内にはバックアップ電池２１０が設けられ、単体で紙幣収納庫３０１に対する不正行為が行われた場合であっても警報装置２１１の動作が可能な構成となっている。警報装置２１１が動作すると、モータ３０２が駆動して紙幣収納庫３０１内に取り付けられたカム３０３やスタックガイドローラ５１０が回転し、収納されている紙幣に防盗インクを着色したり、あるいは警報装置２１１が動作すると、押板制御部３０４が振動子３０５とばね３０６の制御を行い、収納されている紙幣に防盗インクを染み込み易くする。
【００３６】
なお、通常時の運用にあたってはバックアップ電池２１０を事前に取り外すことにより、収納されている紙幣に防盗インクをマーキングする動作を防ぐ構成が望ましい。また、図２に示したＡＴＭ１の構成と図３に示した紙幣収納庫３０１の構成とを共に併用することにより、更に防犯を向上できる装置を提供することができる。図２および図３で示した各センサは、警報装置２１１によってＡＴＭ１や紙幣収納庫３０１に対する不正行為を検出することから、これらの各センサのことをまとめて不正検知部、異常検知部とも言う。
【００３７】
図４は、ＡＴＭ１の中で、本発明に関わる紙幣入出金機構２０７の物理的な構成を示す内部の側面図である。図４に示すように、紙幣入出金機構２０７は、エンドユーザが紙幣の投入・取出しを行う入出金口３と、紙幣の金種や真偽を鑑別する紙幣識別部４０１と、入出金口３に入金された紙幣を、取引成立までの間、一時的に収納する一時保管庫４０２と、金種ごとに紙幣を収納する複数の紙幣収納庫３０１ａ、３０１ｂ、３０１ｃ、３０１ｄと、これら各ユニット間において紙幣を搬送する紙幣搬送路４０３とを有している。
【００３８】
以下では特に説明していないが、紙幣入出金機構２０７は、紙幣の入金処理、出金処理を図示しないＣＰＵ、メモリ等からなる制御部により実行され、この他、各収納庫に紙幣を装填、補充する処理、収納庫の紙幣を回収する処理、装置内の紙幣を計数などする精査処理等、紙幣に関する取引を行う際に通常行われる処理についても実行しているものとする。
【００３９】
図５は、図４に示した紙幣入出金機構２０７に具備された紙幣収納庫３０１の内部構成を示す図である。図５に示すように、紙幣収納庫３０１は、多数枚の紙幣５０５を立位姿勢で収納している。紙幣５０５が入金される場合、図４に示した搬送路４０３よって搬送され、その後、底板５０６と押板５０８とスタックガイド５０９とから構成される集積機構によって図示右側より集積され、集積された紙幣５０５は、そのスタックガイド５０９により支えられるとともに、モータ３０２によって駆動されたスタックガイド５０９の押圧力によって、紙幣５０５を介して押板５０８が押圧される。この場合、押板５０８は、例えば、バネ等の弾性部材によって、集積される紙幣５０５の枚数に応じて矢印Ａ方向に動き、集積済みの紙幣５０５を支えるようになっている。
【００４０】
なお、以下ではスタックガイド５０９は、スタックガイドローラ５１０がモータ３０２によって駆動され、スタックガイドローラ５１０を軸として反時計回りに回転移動する前提で説明しているが、そのような駆動力を用いずに、例えば、後述するように、押板制御部３０４が、押板５０８を図５に示した矢印Ａの方向に移動させ、集積された紙幣５０５が押板５０８とともに矢印Ａの方向に移動された場合に、スタックガイド５０９の自重によってスタックガイドローラ５１０を軸として反時計回りに回転移動し、集積された紙幣５０５を支えることとしてもよい。また、スタックガイド５０９は、図５に示したように、集積された紙幣５０５を押圧するとともに、通常時においては、インク染み出し口５１３（着色部材）に接する状態で配置され、後述するように、異常時には、スタックガイド５０９が回転移動してインク染み出し口５１３が巻き取られた状態から、その巻き取りが解けた状態に変化するようになっている。
【００４１】
一方、収納済みの紙幣５０５が出金される場合、搬送路４０３によって紙幣５０５が繰り出され、押板５０８によって矢印Ａの逆方向に力が働き、分離・繰り出し機構（集積機構と同様）によって、図示右側から搬送路に繰り出される。なお、紙幣収納庫３０１への紙幣５０５の集積は、入金処理時に上述した不図示の制御部によって行われ、紙幣収納庫３０１からの紙幣５０５の繰り出しは、出金処理時に上述した制御部によって行われる。
【００４２】
図５に示すように、底板５０６を境に、その上段には集積機構によって紙幣５０５が収納され、この他、紙幣５０５の上部から防盗インクを着色するための上部着色機構、その下段には紙幣５０５の下部から防盗インクを着色するための下部着色機構が備わっている。これらの着色機構は、上述した不正行為が行われた場合（非常時）に、立位姿勢で収納される紙幣５０５に防盗インクを着色するものである。上部着色機構は、上部着色機構インク一時貯蔵庫５１２と、インク染み出し口５１３と、インクパイプ５１３０と、スタックガイド５０９と、スタックガイドローラ５１０と、を有している。また、下部着色機構は、底板５０６と、保護版５０２と、防犯インク貯留部（またはインク貯留部、防盗インク貯蔵袋、または単に貯留部ともいう）５０３（着色部材）と、針５０１を備えた保護板５０４と、カム３０３とを有している。
【００４３】
続いて、このように構成されたこれらの着色機構の動作および処理について説明する。なお、この着色機構が実行する処理等も紙幣入出金機構２０７の制御部が実行するものとし、その部分の説明については省略している。
【００４４】
紙幣入出金機構２０７もしくは、紙幣収納庫３０１に取り付けられている振動検知センサ２１２（上述したように、収納庫自身には備えない方が望ましい。）、焼切検知センサ２１３、扉開検知センサ２１４が異常を検知すると、警報装置２１１がそれらの異常を検知する。この異常検知に応じてモータ３０２が駆動する。なお、モータ３０２は、収納庫内でなく、紙幣入出金機構２０７内に設けてもよい。
【００４５】
このモータ３０２の駆動により、カム３０３は図５の矢印ａの方向に回転駆動し、可動板５０４を押し上げる（後述の図７参照）。なお、図５では各センサおよび警報装置２１１などは図示していないが、これらは図３のように紙幣収納庫３０１内にあっても、図２のようにＡＴＭ１内、更には紙幣入出金機構２０７内にあってもよく、これらをどの装置に設置するか、またその組み合わせは任意に定めることができる。
【００４６】
また、スタックガイド５０９の上部には、上部着色機構インク一時貯蔵庫５１２とインク染み出し口５１３が配置される。インク染み出し口５１３は、インク一時貯蔵庫５１２とインクパイプ５１３０で接続されている。なお、インク一時貯蔵庫５１２は、インク染み出し口５１３の巻き取りが解けた場合に、インク一時貯蔵庫５１２に貯蔵された防盗インクがインクパイプ５１３０を経由して流れ出るように、集積された紙幣５０５の上面よりも高い位置に設けられている。
【００４７】
なお、可動板５０４と可動板ガイド５０７とは隙間のない密閉構造のものとなっている。すなわち、可動板５０４と一体成型された針５０１を覆うように、その上部に保護板５０２を有し、その保護板５０２の上に防犯インク貯留部５０３が置かれている。従って、可動板５０４がカム３０３によって押し上げられないにもかかわらず、紙幣５０５に着色する防盗インクを貯蔵する防犯インク貯蔵袋５０３から例え防盗インクが漏れても、紙幣収納庫３０１の下にある他の紙幣収納庫３０１にその防盗インクが染み出すことがない。
【００４８】
図６は、インク染み出し口５１３の構成を示す図である。図６に示すように、インク染み出し口５１３は、柔軟性のある繊維とそれを覆う布等で形成されている。インク染み出し口５１３の内部には、上部着色機構インク一時貯蔵庫５１２から流出した防盗インクを通すための複数のインクパイプ５１３０が通っている。インクパイプ５１３０の端部には、インク染み出し口５１３の下面に向けて複数の開口部Ｈが設けられている。インク染み出口５１３は、紙幣５０５の上部に配置され、上部着色インク一時貯蔵庫５１２から供給された防盗インクが、インクパイプ５１３０を通って、インク染み出口５１３の下面に設けられた開口部Ｈから染み出し、染み出した防盗インクが紙幣５０５の側面（上端）から汚染するようになっている。
【００４９】
図７は、上述した各センサが異常を検知した場合における紙幣収納庫３０１の内部構造を示す図である。図７に示すように、柔軟性のある繊維とそれを覆う布等で形成されたインク染み出し口５１３は、インクパイプ５１３０の開口部Ｈが、その下方に向けられており、立位姿勢で収納された紙幣５０５に向かって防盗インクが染み出して、紙幣５０５を、その上端から汚染するようになっている。続いて、保護板５０２について説明する。
【００５０】
保護板５０２は、プラスチック等の素材で形成されており、複数の針５０１の位置に符合するように複数の開口可能な穴（開口部）が設けられている。その開口部付近の構造は、図６に示した円柱形（拡大図）６０１のように、カム３０３が動作し、針５０１を押し上げた時に薄いプラスチック（膜）６０２が破れる構成となっている。つまり、保護板５０２には開口部を具備するが、上述したセンサが異常を検知したか否かによって、貫通された穴（開状態）又は貫通前の穴（閉状態）というように、その状態が変化する。なお、底板５０６にも、保護板５０２と同様に、防盗インクを染み込ませるための貫通された多数の穴が開けられている。
【００５１】
図７は、上述したセンサが異常を検知し、保護板５０２の開口部が開状態になった場合における紙幣収納庫３０１の動作の例を示す図である。図７に示すように、上述したセンサが異常を検知した場合、カム３０３の回転動作によって、可動板５０４と一体となっている針５０１が保護板５０２の開口部を貫通し、開口部が開口する。そして、可動板５０４が底板５０６付近まで持ち上げられ、底板５０６に開けられている穴より防盗インクを押し出して紙幣５０５に染み込ませる。具体的には、立位姿勢で収納された紙幣の端部（底板と接触している面）に対して防盗インクが着色される。
【００５２】
このように、複数の紙幣を立位姿勢で収納する紙幣収納庫３０１において、インク一時貯蔵庫５１２が、紙幣の上端を着色するための防盗インクを蓄え、インク染み出し口５１３が紙幣の上方に設けられ、防盗インクを紙幣に着色させるための開口部Ｈを有し、保護板５０２は紙幣を保持し穴部が設けられ、押板５０８が、紙幣を横方向に押圧し、スタックガイド５０９が、インク染み出し口５１３を紙幣に接触しない状態で支えると共に押板５０８に対向する位置に設けられ押板５０８方向に回転するスタックガイドローラ５１０を軸として回動することによって紙幣を押板５０８方向に押し出し、防盗インク貯蔵袋５０３が、紙幣の下端を着色するための防盗インクを蓄え、カム３０３が、防盗インク貯蔵袋５０３を押圧し、振動検知センサ２１２等が、紙幣収納庫３０１の異常を検知し、押板制御部３０４が、振動検知センサ２１２等が異常を検知した場合に、押圧する方向とは逆方向に押板５０８を移動させることによって、スタックガイド５０９がスタックガイドローラ５１０を軸として回動して紙幣を押板５０８方向に押し出すとともにインク染み出し口５１３を紙幣の上端に接触させて防盗インクをインク染み出し口５１３の開口部Ｈから流出させ、カム３０３に防盗インクを押圧させることによって防盗インクを穴部から流出させるので、防犯性を低下させることがない。なお、上述したように、着色機構の動作によっても異常時には紙幣５０５の上下端面から防盗インクを紙幣に染み込ませることは可能であるが、例えば、図７に示した紙幣収納庫３０１に集積された紙幣５０５を水平方向動かすことによって、紙幣５０５に揺れを生じさせ、より効率的に防盗インクを染み込ませることも可能である。
【００５３】
具体的には、各センサ、警報装置２１１がＡＴＭ１等の装置の異常を検知したとき、モータ３０２が、カム３０３と共にスタックガイドローラ５１０を動作させ、スタックガイド５０９が紙幣５０５を押板５０８方向に押し込むと同時に、押板５０８のバネを緩める。これにより図５の紙幣５０５全体が、図７に示したように紙幣収納庫３０１の中心に移動し、紙幣５０５全体に防盗インクを染み込ませ易くすることができる。このように、本実施の形態では、紙幣収納庫３０１に、異常時に収納済みの紙幣を移動させる移動手段を設けている。また、紙幣収納庫３０１には、上述した集積機構や、紙幣収納庫３０１から紙幣５０５を繰り出す繰り出し機構が、搬送路４０３側（図７に示した可動板ガイド５０７の右側）に設けられている。
【００５４】
したがって、収納済みの紙幣５０５は、通常は図５のように搬送路側にあり、上述のような移動手段によって、紙幣収納庫３０１の中央付近に集積された紙幣５０５を移動させることが可能となっている。この移動手段は、後述するように、押板制御部３０４が、ばね３０６を緩める制御を行うことによって、より効果的に紙幣５０５全体に防盗インクを染み込ませ易くすることができるようになっている。
【００５５】
なお、上述した実施の形態においては、可動板５０４はカム３０３によって移動する構造としたが、ベルト等により可動し、このような可動板とカム（又はベルト）の機能を有した可動部（モータを含めてもよい）を備えることとしてもよい。また、防盗インクの代わりとして、接着剤を貯蔵袋にいれた防犯液を用いてもよい。
【００５６】
続いて、可動板５０４がカム３０３によって押し上げられないにもかかわらず、防犯インク貯蔵袋５０３から防盗インクが漏れても、紙幣収納庫３０１に集積された紙幣５０５を汚損しない場合の構成について説明する。
【００５７】
上述した下部着色機構の防盗インク貯蔵袋５０３は、図７に示すように、保護板５０２上に置かれており、通常時はその保護板５０２の開口部は開状態（針５０１が貫通する前の状態）ではない。したがって、通常時は例え防盗インクが漏れた場合であっても、下方に防盗インクが垂れてしまうなどの問題を軽減することができる。
【００５８】
一方、上部着色機構のインク染み出し口５１３は、仮に防盗インクが漏れた場合であっても、集積された紙幣５０５を汚損しにくくする為、図５に示した様に、インク染み出し口５１３をロール状に巻き付きつけられた状態でスタックガイド５０９の上部に固定し、異常時にのみ、スタックガイド５０９がスタックガイドローラ５１０を軸として回転移動する際に、図５に示した矢印Ｂの方向にロールを解いて掛け布団の様に紙幣５０５の上部の略全面に展開して配置される。したがって、上述したセンサ等が異常を検知した場合、紙幣収納庫３０１に集積された紙幣５０５に満遍なく防盗インクを付着させることができる。なお、上部着色インク一時貯蔵庫５１２は、インク漏れが発生しないように、通常は防盗インクを空にしておいて、異常発生時に下部着色機構の防盗インク貯蔵袋５０３から防盗インクを供給してもよい。
【００５９】
続いて、押板５０８の制御方法について説明する。押板５０８は、ばね３０６によって紙幣５０５を押圧しているが、異常発生時に警報装置２１１から押板制御部３０４に信号が発せられると、押板制御部３０４は、ばね３０６を緩める制御を行う。具体的には、押板制御部３０４がばね３０６を緩めると、押板５０８が図５の矢印Ａの方向に移動して、立位姿勢で収納される紙幣５０５の間隔を広げて紙幣同士の隙間を生じさせることによって、防盗インクがその隙間に入り込むようになっている。
【００６０】
そして、押板制御部３０４は、立位姿勢で集積された紙幣５０５のそれぞれの紙幣の上部および下部から防盗インクが染み出し始めると、振動子３０５を振動させる。具体的には、押板制御部３０４は、不図示のタイマ等によって一定時間（例えば、１０秒程度）が経過した場合に、防盗インクが染み出し始める時間が経過したと判定し、モータ等の駆動部によって振動子３０５を振動させる。そして、振動子３０５は、押板５０８に接続された不図示の押板振動板を振動させ、振動を押板５０８に伝える。押板５０８に伝わった振動によって紙幣５０５に振動が伝わると、防盗インクが紙幣の内部に入り込み易くなり、速やかに防盗インクが紙幣５０５の中に染み込む。
【００６１】
その後、押板制御部３０４は、紙幣５０５に防盗インクが染み込んでいくに従って、押板制御部３０４は、ばね３０６をさらに緩める制御を行う。ばね３０６を緩めることで押板５０８が図５に示した矢印Ａの方向に広がり、さらに防盗インクが集積された紙幣５０５の内部に入り込み易くする。そして、上述した不図示のタイマ等によって、さらに一定時間（例えば、５秒程度）が経過した場合に、押板制御部３０４は、集積された紙幣５０５に、ある程度インクが染み込んだと判定する。
【００６２】
そして、押板制御部３０４は、この段階で押板制御部３０４は、ばね３０６を縮める制御を行う。ばね３０６を縮めることによって、押板５０８が、図５に示した矢印Ａの方向とは反対の方向に移動し、集積された紙幣５０５同士の間隔を狭くする。これにより、それらの紙幣５０５の間に入り込んだインクが紙幣の全面に染み込ませることができ、押板制御部３０４が、ばね３０６を広げたり縮めたりする制御を数回繰り返すことによって、防盗インクが集積されたそれぞれの紙幣５０５の全面に染み込むようになっている。
【００６３】
以上により、紙幣５０５の上下からインクを紙幣に着色する着色機構（上部着色機構および下部着色機構）と押板５０８を振動させる押板制御部３０４とによって紙幣の全面に防盗インク染み込ませることができる防犯性の高い現金紙幣取引装置を提供することができる。
【００６４】
本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００６５】
１…通帳出入口、２…カード出入口、３…紙幣入出金口、４…硬貨入出金口、５…顧客操作パネル、２０１…制御部、２０２…インターフェース（Ｉ／Ｆ）部、２０３…上位装置、２０４…顧客操作部、２０５…カード読取機構、２０６…通帳出入機構、２０７…紙幣入出金機構、２０８…硬貨入出金機構、２０９…装置電源（ＡＣ／ＤＣ）、２１０…バックアップ電池、２１１…警報装置、２１２…振動検知センサ、２１３…焼切り検知センサ、２１４…扉開検知センサ、２１５…商用電源（ＡＣ）、３０１…紙幣収納庫、３０２…モータ、３０３…カム、３０４…押板制御部、３０５…振動子、３０６…ばね、４０１…紙幣識別部、４０２…一時保管庫、４０３…紙幣搬送路、５０１…針、５０２…保護板、５０３…防盗インク貯蔵袋、５０４…可動板、５０５…紙幣、５０６…底板、５０７…可動板ガイド、５０８…押板、５０９…スタックガイド、５１０…スタックガイドローラ、５１２…インク一時貯蔵庫、５１３…インク染み出し口、６０１…円柱形（拡大図）、６０２…薄いプラスチック（膜）、７０１…インク。
【図１】
2011145939.tif 000003
【図２】
2011145939.tif 000004
【図３】
2011145939.tif 000005
【図４】
2011145939.tif 000006
【図５】
2011145939.tif 000007
【図６】
2011145939.tif 000008
【図７】
2011145939.tif 000009